(57)【特許請求の範囲】
【請求項１】
飛び越し走査によって得られる２つのフィールドによって１フレームの画像信号が構成されるＤＶＣ規格に基づく第１の精細度の画像信号を記録すると共に、前記第１の精細度より低い第２の精細度の順次走査の画像信号の入来があったときには、前記第１の精細度の画像信号に変換して記録するようにしたディジタル画像信号記録装置であって、
前記第２の精細度の順次走査の１フレームの画像信号が入来したとき、前記１フレームの画像信号を、前記第１の精細度の１フィールドの画像信号に変換して出力する変換手段と、
該変換手段の出力信号に所定の処理を施して記録媒体に記録する記録手段とを備え、
前記記録手段は、飛び越し走査によって得られる２つのフィールドによって１フレームの画像信号が構成される第１の精細度の画像信号を記録する場合に、フレーム単位で直交変換を行う静止モードと、フィールド毎の直交変換を行い、連続する２つのフィールドの直交変換係数の差成分と和成分とを出力する動きモードとを、符号化時に適用的に切り換えるものを、前記変換された第１の精細度の２つのフィールドからなる画像信号が入来したときは、動きモードに固定して画像情報を圧縮する画像情報圧縮手段を有し、前記変換手段は、前記第２の精細度の画像信号の連続する２つのフレームの同じ位置に対応する画像信号により、前記第１の精細度の画像信号の前記所定画素ブロックを構成することを特徴とするディジタル画像信号記録装置。
【請求項２】
前記変換手段は、前記所定画素ブロック単位で同一値のダミーデータを挿入して、前記変換を行うことを特徴とする請求項１に記載のディジタル画像信号記録装置。
【請求項３】
輝度信号の前記所定画素ブロックｎ個（ｎは２以上の整数）と２つの色差信号の前記所定画素ブロック各ｍ個（ｍは１以上の整数）とによってマクロブロックが構成されるとき、
前記第１の精細度と前記第２の精細度との比に応じて、前記ｎ個の輝度信号の所定画素ブロックのうちのｋ個（ｋは１≦ｋ＜ｎなる整数）の所定画素ブロックを前記ダミーデータの画素ブロックとし、前記マクロブロック単位で前記輝度信号の所定画素ブロックの後段に前記ダミーデータの画素ブロックを配置し、前記変換を行うことを特徴とする請求項２に記載のディジタル画像信号記録装置。
【請求項４】
飛び越し走査によって得られる２つのフィールドによって１フレームの画像信号が構成されるＤＶＣ規格に基づく第１の精細度の画像信号を記録再生すると共に、前記第１の精細度より低い第２の精細度の順次走査の画像信号の入来があったときには、前記第１の精細度の画像信号に変換して記録再生するようにしたディジタル画像信号記録再生装置であって、
前記第２の精細度の順次走査の１フレームの画像信号が入来したとき、前記１フレームの画像信号を、前記第１の精細度の１フィールドの画像信号に変換して出力する変換手段と、
該変換手段の出力信号に所定の処理を施して記録媒体に記録する記録手段と、
前記記録媒体に記録された信号を再生し、所定の再生処理を施して出力する再生手段と、
該再生出力信号を前記第２の精細度の画像信号に変換して出力する再生変換手段とを備え、
前記記録手段は、飛び越し走査によって得られる２つのフィールドによって１フレームの画像信号が構成される第１の精細度の画像信号を記録する場合に、フレーム単位で直交変換を行う静止モードと、フィールド毎の直交変換を行い、連続する２つのフィールドの直交変換係数の差成分と和成分とを出力する動きモードとを、符号化時に適用的に切り換えるものを、前記変換された第１の精細度の２つのフィールドからなる画像信号が入来したときは、動きモードに固定して画像情報を圧縮する画像情報圧縮手段を有し、前記変換手段は、前記第２の精細度の画像信号の連続する２つのフレームの同じ位置に対応する画像信号により、前記第１の精細度の画像信号の前記所定画素ブロックを構成することを特徴とするディジタル画像信号記録再生装置。
【発明の詳細な説明】
【０００１】
【発明の属する技術分野】
本発明は、ディジタル画像信号記録装置及び記録再生装置に関し、特に精細度の異なる画像信号を記録／再生するものに関する。
【０００２】
【従来の技術】
画像データを情報圧縮して記録を行うディジタルＶＴＲ（ビデオテープレコーダ）の規格として「ＤＶＣ」と呼ばれる規格（以下「ＤＶＣ規格」という）が提案されている（例えば、National Technical Report Vol. 41 No.2 Apr. 1995 第４８頁から第５５頁）。このＤＶＣ規格には、現行放送レベルの通常解像度の画像信号（ＳＤ信号）を記録するためのＳＤ規格と、高精細度の画像信号（ＨＤ信号）を記録するための規格とがある。ＨＤ信号を記録するためのＨＤ規格の概要を以下に説明する。
【０００３】
ＨＤ規格は、図１１に示すように、輝度信号が水平１００８画素、垂直ライン数１０２４本（１０２４画素）、２つの色差信号（Ｃｒ、Ｃｂ）がそれぞれ水平３３６画素、垂直ライン数５１２本（５１２画素）で１フレームが構成される画像信号を記録、再生する規格である。この１フレームは、飛び越し走査により得られる２個のフィールドから構成される。この規格によれば、これらの有効画素データをブロック化してＤＣＴ（離散コサイン変換）演算を行う。ＤＣＴ演算のためのブロック（以下「ＤＣＴブロック」という）は、具体的には輝度（Ｙ）信号及び色差（Ｃｂ、Ｃｒ）信号のそれぞれについて１フレームの画素に対して水平８画素×垂直８画素で区切って構成される。そして、図１２に示すように、画面上の同じ位置の同じ面積に対応するＹ信号のＤＣＴブロック６個と、Ｃｂ信号及びＣｒ信号のＤＣＴブロック１つずつとからなる８ＤＣＴブロックを「マクロブロック」と呼ぶ。
【０００４】
ＤＣＴ演算としては、フレーム単位で水平８画素×垂直８画素で８×８のＤＣＴを行う静止モードと、フィールド単位で水平８画素×垂直４画素で８×４のＤＣＴを行い、２つのフィールドの各ＤＣＴ係数の和と差をとる動きモードとが設けられており、符号化時に適応的に切り換え可能とされている。この切換は、フィールド間の差分に基づいて動き検出を行い、所定以上の動きが検出されたとき、動きモードを選択するように行われる。
【０００５】
ＤＣＴ演算により得られたＤＣＴ係数は、量子化と可変長符号化を施した後のデータ量が所定値以下で且つ最もその所定値に近い値となるように、量子化テーブルを選択して量子化される。
量子化及び可変長符号化後のデータは、マクロブロック単位でフォーマティングされ、ＳＹＮＣワード、ＩＤコード及び誤り訂正のためのパリティーワードが付加されたシンクブロックの形で磁気テープ上に記録される。磁気テープ上のフォーマットは図１３に示すようになる。
【０００６】
【発明が解決しようとする課題】
上記ＨＤ規格に準拠したＬＳＩ（大規模集積回路）は、通常、ＨＤ信号の記録、再生に使用されるが、そのままでは、より精細度の低い順次走査の画像信号（例えばＥＤＴＶ（Enhanced Definition TV）信号）を記録、再生することはできない。
【０００７】
本発明はこの点に着目してなされたものであり、ＨＤ信号用のＬＳＩにわずかな回路を追加することによって、より精細度の低い順次走査の画像信号の記録を可能とし、さらに、より精細度の低い順次走査の画像信号を圧縮処理して記録するときの圧縮効率を向上させたディジタル画像信号記録装置を提供することを目的とする。
【０００８】
【課題を解決するための手段】
本発明は、上記課題を解決するために、以下の１）〜４）に記載の手段よりなる。
すなわち、
１）飛び越し走査によって得られる２つのフィールドによって１フレームの画像信号が構成されるＤＶＣ規格に基づく第１の精細度の画像信号を記録すると共に、前記第１の精細度より低い第２の精細度の順次走査の画像信号の入来があったときには、前記第１の精細度の画像信号に変換して記録するようにしたディジタル画像信号記録装置であって、
前記第２の精細度の順次走査の１フレームの画像信号が入来したとき、前記１フレームの画像信号を、前記第１の精細度の１フィールドの画像信号に変換して出力する変換手段と、
該変換手段の出力信号に所定の処理を施して記録媒体に記録する記録手段とを備え、
前記記録手段は、飛び越し走査によって得られる２つのフィールドによって１フレームの画像信号が構成される第１の精細度の画像信号を記録する場合に、フレーム単位で直交変換を静止モードと、フールド毎の直交変換を行い、連続する２つのフィールドの直交変換係数の差成分と和成分とを出力する動きモードとを、符号化時に適用的に切り換えるものを、前記変換された第１の精細度の２つのフィールドからなる画像信号が入来したときは、動きモードに固定して画像情報を圧縮する画像情報圧縮手段を有し、前記変換手段は、前記第２の精細度の画像信号の連続する２つのフレームの同じ位置に対応する画像信号により、前記第１の精細度の画像信号の前記所定画素ブロックを構成することを特徴とするディジタル画像信号記録装置。
２）前記変換手段は、前記所定画素ブロック単位で同一値のダミーデータを挿入して、前記変換を行うことを特徴とする請求項１に記載のディジタル画像信号記録装置。
３）輝度信号の前記所定画素ブロックｎ個（ｎは２以上の整数）と２つの色差信号の前記所定画素ブロック各ｍ個（ｍは１以上の整数）とによってマクロブロックが構成されるとき、
前記第１の精細度と前記第２の精細度との比に応じて、前記ｎ個の輝度信号の所定画素ブロックのうちのｋ個（ｋは１≦ｋ＜ｎなる整数）の所定画素ブロックを前記ダミーデータの画素ブロックとし、前記マクロブロック単位で前記輝度信号の所定画素ブロックの後段に前記ダミーデータの画素ブロックを配置し、前記変換を行うことを特徴とする請求項２に記載のディジタル画像信号記録装置。
４）飛び越し走査によって得られる２つのフィールドによって１フレームの画像信号が構成されるＤＶＣ規格に基づく第１の精細度の画像信号を記録再生すると共に、前記第１の精細度より低い第２の精細度の順次走査の画像信号の入来があったときには、前記第１の精細度の画像信号に変換して記録再生するようにしたディジタル画像信号記録再生装置であって、
前記第２の精細度の順次走査の１フレームの画像信号が入来したとき、前記１フレームの画像信号を、前記第１の精細度の１フィールドの画像信号に変換して出力する変換手段と、
該変換手段の出力信号に所定の処理を施して記録媒体に記録する記録手段と、
前記記録媒体に記録された信号を再生し、所定の再生処理を施して出力する再生手段と、
該再生出力信号を前記第２の精細度の画像信号に変換して出力する再生変換手段とを備え、
前記記録手段は、飛び越し走査によって得られる２つのフィールドによって１フレームの画像信号が構成される第１の精細度の画像信号を記録する場合に、フレーム単位で直交変換を静止モードと、フールド毎の直交変換を行い、連続する２つのフィールドの直交変換係数の差成分と和成分とを出力する動きモードとを、符号化時に適用的に切り換えるものを、前記変換された第１の精細度の２つのフィールドからなる画像信号が入来したときは、動きモードに固定して画像情報を圧縮する画像情報圧縮手段を有し、前記変換手段は、前記第２の精細度の画像信号の連続する２つのフレームの同じ位置に対応する画像信号により、前記第１の精細度の画像信号の前記所定画素ブロックを構成することを特徴とするディジタル画像信号記録再生装置。
【００１６】
【発明の実施の形態】
以下本発明の実施の形態を図面を参照して説明する。
（第１の実施形態）
図１は本発明の実施の一形態にかかるディジタル画像信号記録再生装置の構成を示すブロック図であり、このシステムは、画像信号切換処理部１と、画像信号記録再生部２とから成る。画像信号切換処理部１に入力される、ＨＤ信号より精細度の低い画像信号（以下「ＥＤ信号」という）は、Ｙ信号及びＣｒ、Ｃｂ信号からなる順次走査信号とし、１フレームを構成するＹ信号は、水平方向７１２画素、垂直方向４８０本、Ｃｒ、Ｃｂ信号は、水平方向３５６画素、垂直方向２４０本である。この信号の１フレームは１／６０秒で処理される。
【００１７】
画像信号切換処理部１は、ディジタル化されたＨＤ信号が入力される入力端子１１と、ディジタル化されたＥＤ信号が入力される入力端子１２と、再生されたＥＤ信号が出力される出力端子１９と、再生されたＨＤ信号が出力される出力端子２０と、ＨＤ信号とＥＤ信号を切り換えるための第１及び第２のスイッチ回路１３、１４と、ＥＤ信号をフレーム単位で格納するフレームメモリ１５と、ダミーデータ挿入・除去を行うダミーデータ処理回路１６と、フレームメモリ１５の読み出し・書き込みアドレスを制御するアドレス制御回路１７とを主たる構成要素とする。
【００１８】
ダミーデータ処理回路１６は、図２に示すように、例えば値が全て「０」のダミーデータを発生するダミーデータ発生回路１０１と、記録時にダミーデータを挿入するために使用するスイッチ１０２と、再生時にダミーデータを除去するために使用するスイッチ１０３とからなる。スイッチ１０２及び１０３には、アドレス制御回路１７から切換制御信号が供給され、後述するようにダミーデータの挿入・除去が行われる。
【００１９】
ＨＤ信号のＹ信号は、図１１に示したように、水平方向の有効画素数が１００８で、垂直方向の有効ライン数はフレーム（以下ＨＤ信号のフレームを「ＨＤフレーム」といい、ＥＤ信号のフレームを「ＥＤフレーム」という）内で１０２４本であり、Ｃｒ、Ｃｂ信号は、水平方向３３６画素で、垂直方向は５１２本である。ＨＤ信号の１フィールドは１／６０秒で、また１フレームは１／３０秒で処理される。また、本実施形態では、ＥＤ信号は、Ｙ信号及びＣｒ、Ｃｂ信号からなる順次走査信号とし、Ｙ信号は、水平方向７１２画素、垂直方向４８０本、Ｃｒ、Ｃｂ信号は、水平方向３５６画素、垂直方向２４０本である。この信号の１フレームは１／６０秒で処理される。
【００２０】
入力されたＥＤ信号はフレームメモリ１５に供給され、１ＥＤフレーム分のＥＤ信号がフレームメモリ１５に格納される。アドレス制御回路１７は、後述するようにフレームメモリ１５の読み出しアドレスを制御し、ＥＤ信号の画素の並べ替えを行う。フレームメモリ１５から読み出された信号は、ダミーデータ処理回路１６を介して第１のスイッチ回路１３に供給される。第１のスイッチ回路１３はＨＤ信号と画素の並べ替えられたＥＤ信号とを切り換えて、画像信号記録再生部２のブロック化回路２１に供給する。本実施形態では、図１の第１のスイッチ回路１３は、使用者がＨＤ信号の記録又はＥＤ信号の記録を選択することにより切り換えられる。
【００２１】
画像信号記録再生部２は、本実施形態ではＨＤ信号のＤＶＣ規格に準拠したＶＴＲで構成されており、以下「ＶＴＲ部２」という。ＶＴＲ部２の画像信号記録系は、ＤＣＴ演算のためのブロック化を行うブロック化回路２１と、ＤＣＴ演算を行うＤＣＴ回路２２と、量子化を行う量子化回路２３と、可変長符号化を行うＶＬＣ（Variable Length Coding）回路２４と、サブコードセクタへの情報の書き込み、ビデオＡＵＸデータの付加などを行う補助情報書き込み回路２５と、誤り訂正のためのパリティビットを付加する誤り訂正符号化回路２６と、シンクブロックの合成を行うとともに、磁気テープに記録するための変調を行うシンクブロック合成記録変調回路２７と、磁気テープ４１への記録を行う磁気ヘッド２８とを主たる構成要素とし、画像信号再生系は、磁気テープ４１からの再生を行う磁気ヘッド２８と、シンクブロックの検出及び復調を行うＳＹＮＣ検出再生復調回路２９と、パリティビットの情報に基づいて誤り訂正を行う誤り訂正復号化回路３０と、サブコードセクタのデータ、ビデオＡＵＸデータ等の読み出しを行う補助情報読み出し回路３１と、可変長復号化を行うＶＬＤ（Variable Length Decoding）回路３２と、逆量子化を行う逆量子化回路３３と、逆ＤＣＴ演算を行う逆ＤＣＴ回路３４と、画素の並べ替えを行う画素並べ替え回路３５とを主たる構成要素とする。
【００２２】
ＶＴＲ部２の画素並べ替え回路３５の出力信号は、画像信号切換処理部１の第２のスイッチ回路１４に入力される。第２のスイッチ回路１４により、再生信号がＨＤ信号であるときは、ＨＤ信号出力端子２０側に出力され、ＥＤ信号であるときはダミーデータ処理回路１６を介してフレームメモリ１５に出力される。ＥＤ信号を再生するときは、アドレス制御回路１７は、記録時に並べ替えた画素の配置を元に戻すようにフレームメモリ１５の書き込みアドレスを制御するとともに、１ＥＤフレーム分の画像が再構成されると元のＥＤ信号の順序で画素データが出力されるように読み出しアドレスを制御する。
【００２３】
次にＥＤ信号の記録時における変換の方法を説明する。
入力されたＥＤ信号を、１／６０秒間で１フレームの画像信号をフレームメモリ１５に格納し、フレームメモリ１５の読み出しアドレス制御及びダミーデータ処理回路のスイッチ回路１０２の切換制御により、値が同一のダミーデータ（例えばブランクデータ）を挿入しつつ、ＨＤ信号の１フィールドに対応する画像信号に変換する。具体的には、輝度信号の水平７１２画素×垂直４８０画素については、以下のように変換する。
【００２４】
１）先ず図４（ａ）に示す水平６７２画素×垂直４８０画素の領域Ａを読み出して、ダミーデータ処理回路１６で、フレームメモリ１５の読み出しデータ１６画素に対してダミーデータ８画素の割合でダミーデータを挿入し、同図（ｂ）に示すように水平１００８画素×垂直４８０画素のデータに変換する。この図でハッチングを付した領域はダミーデータの領域である。ダミーデータの挿入は、例えばダミーデータ処理回路１６のスイッチ回路１０２を図３に示すように、１６画素に相当する期間端子ａ側とし、その後に続く８画素に相当する期間端子ｂ側とする切換を繰り返すことにより行う。
【００２５】
２）図４（ａ）の水平４０画素×垂直４８０画素の領域Ｂについては、図５に示すように、水平３２画素×垂直４８０画素の領域Ｂ１と水平８画素×垂直４８０画素の領域Ｂ２とに分け、以下のようにしてフレームメモリ１５のデータを読み出す。図５のおいて、Ｌ１，Ｌ８，…等は、垂直方向のライン番号を示し、各ライン内の番号は読み出し順序を示す。すなわち、領域Ｂ１のラインＬ１→領域Ｂ１のラインＬ１７→領域Ｂ２のラインＬ１→領域Ｂ２のラインＬ１７→領域Ｂ１のラインＬ２→領域Ｂ１のラインＬ１８→領域Ｂ２のラインＬ２→領域Ｂ２のラインＬ１８の順に読み出し、領域Ｂ２のラインＬ２４まで読み出したら、領域Ｂ１のラインＬ３３に進み、同様の読み出し処理を繰り返す。そして領域Ｂ１のラインＬ２５６（図示せず）まで（すなわち６７２画素）読み出したら、領域Ｂ１のラインＬ９に戻り同様の読み出し処理（１’→２’→３’……）を繰り返す。この場合も、上記１）と同様にダミーデータを挿入する。このようにして、領域Ｂの画素データを水平方向が１００８画素の画素データに変換する。
【００２６】
この変換をＤＣＴブロック単位で見ると、図６（ａ）に示すように水平方向５ブロック（３２画素＋８画素）の画素データが、同図（ｂ）に示すように水平方向１２６ブロック（１００８画素）の画素データに変換される。すなわち、上記２）で示したような読み出しアドレス制御を行うことにより、ブロックＢ１、Ｂ２等とブロックＢ１’、Ｂ２’等の上下の位置関係を維持することができる。
【００２７】
以上の処理により、ＥＤ信号の１フレームの輝度信号の画素データが、ＨＤ信号の１フィールドに対応する輝度信号の画素データに変換される。なお、ＨＤ信号の１フィールドの画素数（１００８×５１２）の方が、ＥＤ信号の１フレームの画素数（７１２×４８０）より若干多いので、空いた領域にはダミーデータを挿入する。
【００２８】
次に色差信号の変換について説明する。
１）ＥＤ信号の色差信号は、図７に示すように水平３５６画素×垂直２４０画素であるので、先ず同図の水平３３６画素×垂直２４０画素の領域Ｃを読み出す。色差信号の場合には、ダミーデータを挿入しない。
【００２９】
２）次に図７の領域Ｄを、図８に示すように水平１６画素×垂直２４０画素の領域Ｄ１と、水平４画素×垂直２４０画素の領域Ｄ２とに分け、以下のようにしてフレームメモリ１５のデータを読み出す。すなわち、領域Ｄ１のラインＬ１→領域Ｄ１のラインＬ９→領域Ｄ２のラインＬ１→領域Ｄ２のラインＬ９→領域Ｄ１のラインＬ２→領域Ｄ１のラインＬ１０→領域Ｄ２のラインＬ２→領域Ｄ２のラインＬ１０の順に読み出し、領域Ｄ２のラインＬ１６まで読み出したら、領域Ｄ１のラインＬ１７に進み、同様の読み出し処理を繰り返す。このようにして、領域Ｄの画素データを水平方向が３３６画素の画素データに変換する。
【００３０】
この変換をＤＣＴブロック単位で見ると、図９（ａ）に示すように水平方向２．５ブロック（１６画素＋４画素）の画素データが、同図（ｂ）に示すように水平方向が４２ブロック（３３６画素）の画素データに変換される。
以上の処理をＣｒ、Ｃｂの色差信号について行うことにより、ＥＤ信号の１フレームの色差信号の画素データが、ＨＤ信号の１フィールドに対応する色差信号の画素データに変換される。なお、ＨＤ信号の１フィールドの色差信号の画素数（３３６×５１２）の方が、ＥＤ信号の１フレームの色差信号の画素数（３５６×４８０）より若干多いので、空いた領域にはダミーデータを挿入する。
【００３１】
以上のようにしてＥＤ信号の１フレーム分のＹ信号、Ｃｒ及びＣｂ信号の画素データが、ＨＤ信号の１フィールドに対応するＹ信号、Ｃｒ及びＣｂ信号の画素データに順次変換され、ＶＴＲ部２に入力される。
ＶＴＲ部２の記録系では、前述したようなＤＶＣ規格にしたがったＤＣＴ演算、量子化、可変長符号化等の信号処理が行われ、磁気テープ上に画像情報が記録される。このとき、ＥＤ信号を記録する場合には、そのことを示す情報を補助情報記録領域であるサブコードセクタに記録する。
【００３２】
以上のような変換処理により、ＶＴＲ部２に入力されるＨＤ信号の１フレームに対応する画像データは、ＥＤ信号の２フレームの画像データに相当し、ＥＤ信号の２フレームの同じラインのデータが、ＨＤ信号１フレームの１ライン毎に交互に入ったものとなる。したがって、ＥＤフレーム間の動きが少ない場合、ＶＴＲ部２におけるＤＣＴ演算を全てフィールド単位で８画素×４画素のＤＣＴ演算を行い、連続する２つフィールドのＤＣＴ係数の和成分と差成分をとる動きモードで行うと、その差成分がほぼゼロとなるので和成分のみが残り、圧縮効率を向上させることができる。すなわち、通常のＨＤ信号の記録時は、動き検出を行って所定以上の動きを検出したときのみ、フィールド毎のＤＣＴ演算を行うが、本実施形態におけるＥＤ信号の記録時は、常にフィールド毎のＤＣＴ演算とすることが望ましい。
【００３３】
また、輝度信号については、２ＤＣＴブロックの画素データに対して１ＤＣＴブロックの割合で値が同一のダミーデータのＤＣＴブロックを挿入するようにしたので、同一値のデータから成るＤＣＴブロックは、ＤＣＴ演算を行うことにより、ＡＣ係数はすべて「０」となるので、符号量制御により他のＤＣＴブロックにビット数を割り当てることができ、高画質の記録、再生が可能となる。
【００３４】
次にＶＴＲ部２の再生系における処理を説明する。磁気テープに記録されたデータは、再生・復調されてディジタルデータ列となる。このデータ列からＳＹＮＣワードが検出され、１シンクブロックのデータが得られる。このようにして得られた再生データに対して、シンクブロック内でインナーパリティを利用した誤り検出・訂正処理が行われ、ビデオデータ等についてはさらにアウターパリティを利用した誤り検出・訂正処理が行われる。その後、補助情報の読み出し、可変長復号化処理（可変長符号化の逆の処理）、逆量子化処理、逆ＤＣＴ演算が順次行われ、さらに元の画素配置に並べなおされて、画像信号切換処理部１の第２のスイッチ回路１４に出力される。さらに、補助情報読み出し回路３１において、サブコードセクタのデータを読み取り、ＥＤ信号が記録されている場合には、その情報を画像信号切換処理部１へ供給する。
【００３５】
画像信号切換処理部１のスイッチ回路１４は、図示しない制御部が再生データのサブコードセクタを参照して出力する切換信号により切り換えられる。
画像信号切換処理部１のダミーデータ処理回路１６では、記録時に付加したダミーデータの除去が行われる。具体的には、図２のスイッチ回路１０３を、ダミーデータのタイミイングのみ端子ｂ側に切り換えることにより、ダミーデータを除去する。アドレス制御回路１７は、ＶＴＲ部２からＥＤ信号であることを示す情報が入力されたときは、前述したようにフレームメモリ１５のアドレス制御を行う。このようにして、記録したＥＤ信号が再生される。
【００３６】
以上のように、本実施形態によれば、ＨＤ信号のＤＶＣ規格に準拠したＶＴＲ部２を用いて、ＥＤ信号の記録、再生を行うことが可能となる。すなわち、ＨＤ信号用のＬＳＩを用いた回路に、わずかな回路を追加するだけで、順次走査によるＥＤ信号の記録再生を行うことができる。
【００３７】
（第２の実施形態）
本実施形態は、ＥＤ信号の連続する２フレーム（第１のフレームと第２のフレーム）をそれぞれ２等分して、第１フレームに対応する第１ａ信号及び第１ｂ信号と、第２フレームに対応する第２ａ信号及び第２ｂ信号とを構成し、第１ａ信号及び第２ａ信号を、ＨＤ信号の１フィールドの信号に変換し、第１ｂ信号及び第２ｂ信号を、ＨＤ信号の次のフィールドの信号に変換するようにしたものである。
【００３８】
具体的には、連続する２フレームのＥＤ信号をフレームメモリ１５に格納し、２つのフレームの奇数番目のラインのみ（第１ａ信号及び第２ａ信号）を読み出して、１フィールドのＨＤ信号に変換し、次いで２つのフレームの偶数番目のラインのみ（第１ｂ信号及び第２ｂ信号）を読み出して、次の１フィールドのＨＤ信号に変換する。このとき、第１ａ信号に含まれる図４の領域Ａの画素データ（水平６７２画素×垂直２４０画素）の次に領域Ｂの画素データ読み出し、第１の実施形態と同様に、ダミーデータの挿入及び並べ替えを行う。第２ａ信号、第１ｂ信号、第２ｂ信号についても同様に処理する。
【００３９】
これにより、ＥＤ信号の連続する２フレームの第１フレームの画素データは、図１０に示すように、ＨＤフレームの領域Ｅ（上半分）に対応し、第２フレームの画素データは、同図の領域Ｆ（下半分）に対応するように変換される。
以上の点以外は第１の実施形態と同様である。
【００４０】
以上のような変換処理により、ＶＴＲ部２に入力される画像信号の１ＨＤフレームは、１ＨＤフレームを構成する２つのフィールドが各々１ＥＤフレームの奇数ライン又は偶数ラインの集まりであり、ＨＤ信号のフレーム単位でＤＣＴブロックを構成すれば、ＥＤ信号のフレーム単位でＤＣＴブロックを構成したことになる。すなわち、この場合フレーム単位で８画素×８画素のＤＣＴ演算を行う静止モードに固定することでＥＤフレーム内の画素相関を利用し、データの圧縮効率を向上させることができる。
【００４１】
（その他の実施形態）
本発明は上述した実施形態に限定されるものではなく、種々の変形が可能である。例えば、第２の実施形態において、ＥＤ信号の第１フレームを、ＨＤフレームの上半分に対応させ、第２フレームを下半分に対応させるようにしたが、例えば第１フレームをＨＤフレームの左半分に対応させ、第２フレームを右半分に対応させるようにしてもよい。
【００４２】
また、記録媒体は磁気テープに限らず、磁気ディスク、光磁気ディスク等であってもよい。
【００４３】
【発明の効果】
以上詳述したように、第１の精細度より低い第２の精細度の順次走査の１フレームの画像信号が、第１の精細度の１フィールドの画像信号に変換され、該変換後の信号が所定画素ブロック毎に直行変換されて記録媒体に記録されるので、第１の精細度の画像信号を記録する装置に比較的簡単な回路を追加するだけで、より精細度の低い第２の精細度の順次走査の画像信号も記録することができる。そして前記第１の精細度の画像信号への変換は、第２の精細度の画像信号の連続する２つフレームの同じ位置に対応する画像信号により、第１の精細度の画像信号の前記所定画素ブロックを構成するように行われるので、いわゆる動きモードの直交変換を行うことで、情報圧縮効率を向上させることができる。
【００４５】
また、所定画素ブロック単位で同一値を有するダミーデータが挿入されるので、符号化したときのデータ量を最小限にとどめて、他の領域の記録データ量を増加させることが可能となり、再生画質を向上させることができる。
【図面の簡単な説明】
【図１】本発明の実施の一形態にかかるディジタル画像信号記録再生装置の構成を示す図である。
【図２】図１の装置の一部の構成を詳細に示す図である。
【図３】図２のスイッチ回路の切換制御を説明するための図である。
【図４】輝度信号の画素並べ替えの方法を説明するための図である。
【図５】輝度信号の画素並べ替えの方法を説明するための図である。
【図６】輝度信号の画素並べ替えの結果をブロック単位で説明するための図である。
【図７】色差信号の画素並べ替えの方法を説明するための図である。
【図８】色差信号の画素並べ替えの方法を説明するための図である。
【図９】色差信号の画素並べ替えの結果をブロック単位で説明するための図である。
【図１０】第２の実施形態にかかる画素並べ替えの方法を説明するための図である。
【図１１】ＨＤ（高精細度）信号の画像データの構成を示す図である。
【図１２】ＤＶＣ規格（ＨＤ信号）のマクロブロックを説明するための図である。
【図１３】ＤＶＣ規格の磁気テープ上のデータ構造を示す図である。
【符号の説明】
１  画像信号切換処理部
２  画像信号記録再生部
１０  アドレス制御回路
１５  フレームメモリ
１６  ダミーデータ処理回路
２１  ブロック化回路
２２  ＤＣＴ演算回路
２３  量子化回路
２４  可変長符号化回路
２５  補助情報書き込み回路
２６  誤り訂正符号化回路
２７  シンクブロック合成記録変調回路
【図１】
0003705459.tif 000002
【図２】
0003705459.tif 000003
【図３】
0003705459.tif 000004
【図４】
0003705459.tif 000005
【図５】
0003705459.tif 000006
【図６】
0003705459.tif 000007
【図７】
0003705459.tif 000008
【図８】
0003705459.tif 000009
【図９】
0003705459.tif 000010
【図１０】
0003705459.tif 000011
【図１１】
0003705459.tif 000012
【図１２】
0003705459.tif 000013
【図１３】
0003705459.tif 000014